(57)【特許請求の範囲】
【請求項１】
１）宮川早生（Ｃ．ｕｎｓｈｉｕ  Ｍａｒｃ．ｃｖ．Ｍｉｙａｇａｗａ−ｗａｓｅ）の枝（ｂｒａｎｃｈ）の芽（ｂｕｄ）にガンマ線を照射（ｉｒｒａｄｉａｔｉｏｎ）するステップと、２）前記ステップ１）でガンマ線が照射された芽を接木して枝を誘導した後、果皮の着色時期が、前記ガンマ線を照射していない宮川早生と比較して１〜３ヶ月遅くなった突然変異を選抜して枝の芽を採取するステップと、３）前記ステップ２）で選抜されて採取された突然変異枝の芽を台木に接木するステップとを含む、開花時期は宮川早生と同一であるが、果皮の着色時期が宮川早生と比較して１〜３ヶ月遅い特性を有する、変種柑橘植物の育成方法。
【請求項２】
さらに、前記ステップ１）〜ステップ３）により育成された変種柑橘植物の枝芽を台木に接木するステップを含み、これによって前記変種柑橘植物を安定的に無性生殖繁殖させることを特徴とする、請求項１に記載の育成方法。
【請求項３】
前記ガンマ線は６０Ｃｏであり、前記ガンマ線の線量は８０グレイである、請求項１又は２に記載の育成方法。
【請求項４】
前記変種柑橘植物から得られる果実は、大韓民国の済州島で露地栽培する場合を基準として、果皮の着色時期が１月下旬〜２月上旬であり、果実の収穫時期が１１月下旬から２月中旬であることを特徴とする、請求項１又は２に記載の育成方法。
【請求項５】
前記変種柑橘植物の成熟期の果実は、果重が８０〜１２０ｇ、果径が５５〜６５ｍｍ、果皮の厚さが１．７〜３．０ｍｍ、糖度が９〜１２°Ｂｒｉｘであり、酸度が０．７〜０．９ｗｔ％であり、宮川早生と比較して浮皮果の発生が少ないため、果実の貯蔵性が向上したことを特徴とする、請求項１又は２に記載の育成方法。
【発明の詳細な説明】
【技術分野】
【０００１】
本発明は、青色の未熟果実の糖度が果皮の着色前に成熟果実の水準に高くなった後、青色の未熟果実の時期が母種である宮川早生よりも長く維持されて、宮川早生の収穫時期から、宮川早生よりも約１〜３ヶ月遅い時期までの期間に柑橘の収穫が可能な晩生温州である、突然変異温州蜜柑新品種‘アラ温州’に関する。
【背景技術】
【０００２】
柑橘は、典型的な亜熱帯果樹作目であるが、温州蜜柑は、商業的に栽培されている柑橘品種において最も低い温度である年平均気温１５℃以上、冬季の最低気温−７℃以上であれば栽培可能である。また、温州蜜柑は、冬季の最低温度の高い亜熱帯地域では良好に着色がなされず、味が淡泊であるため、亜熱帯地域での栽培は難しい実情である。しかし、温州蜜柑は、種子がなく、皮が薄いため、剥きやすいという利点を有するので、最近は、西洋各国の柑橘育種で標本として活用されている。
【０００３】
早生温州宮川早生（Ｓａｔｓｕｍａ  Ｍａｎｄａｒｉｎｅ、Ｃ．ｕｎｓｈｉｕ  Ｍａｒｃ．ｃｖ．Ｍｉｙａｇａｗａ）は、済州島内で最も多く栽培されている品種であって、日本の福岡県が原生地であり、在来系の普通温州で枝が変異したことが発見された後、１９２５年育成された品種であって、国内にこの系統が導入されて早生温州の代表品種として栽培されている。
【０００４】
宮川早生を含んだ早生温州の露地栽培面積が２０１３年に８４％を占め（統計庁、ＫＲＥＩ農業展望２０１４）、１１月下旬から１２月中旬にわたって集中して出荷され、出荷時期の集中化により柑橘価格の暴落などの問題が発生している。これにより、極早生、晩生などの収穫時期の多様化が必要となり、これに対して研究が進んでいる。
【０００５】
済州特別自治道農業技術院の上道早生（Ｃ．ｕｎｓｈｉｕ  ‘Ｓａｎｇｄｏｊｏｓａｅｎｇ’）は、佐々木温州の自然突然変異を通じて育成された品種であって、１１月上旬に完熟する特性を示している。１月下旬に収穫できる温州蜜柑として、青島温州と十万温州などがあるが、浮皮果現象が発生する問題により、青島温州は、１２月中旬に収穫して貯蔵した後に出荷する方法が用いられており、十万温州は、果実の大きさが大きい大果であって、果皮が厚い方であり、浮皮果が発生するため、１２月上旬頃に収穫して貯蔵しておき、翌年に出荷する形態を取る。
【０００６】
温州蜜柑は、種子が形成されないが、人為的な交配によって種子を得ることができる。しかし、種子が多胚性であり、花粉がほとんど形成されないため、交配による新品種の育成は非常に難しい状況である。そこで、本発明者らは、最も活発に栽培されている早生温州宮川早生に放射線突然変異育種技術を導入し、晩生温州である新たな変種柑橘植物を育種して本発明を完成した。
【０００７】
温州蜜柑は、種子が形成されないが、人為的な交配によって種子を得ることができる。しかし、種子が多胚性であり、花粉がほとんど形成されないため、交配による新品種の育成は非常に難しい状況である。そこで、本発明者らは、最も活発に栽培されている早生温州宮川早生に放射線突然変異育種技術を導入し、晩生温州である新たな変種柑橘植物を育種して本発明を完成した。
【先行技術文献】
【特許文献】
【０００８】
【特許文献１】韓国登録特許第１０−０５３２０７２号
【発明の概要】
【発明が解決しようとする課題】
【０００９】
本発明の目的は、果実の成熟時期が宮川早生よりも約１〜３ヶ月遅いため、大韓民国の済州島を基準として果皮の着色時期が１月下旬〜２月上旬である特性を示す晩生温州である、アラ温州と命名された変種柑橘植物を提供することである。
【００１０】
本発明の他の目的は、放射線突然変異育種方法で前記のアラ温州と命名された変種柑橘植物を育種する方法又はその無性繁殖方法を提供することである。
【課題を解決するための手段】
【００１１】
本出願は、２０１４年６月２６日に出願した大韓民国特許出願第１０−２０１４−００７８８３２号に基づく優先権の利益を有し、上記の特許出願に記載された内容は、本出願のために本出願の一部として含まれる。
【００１２】
本発明は、宮川早生である母種から枝芽に突然変異を誘導し、選択された形質を有する枝芽を接木する方式で無性生殖繁殖を通じて育成する変種柑橘植物に関するもので、以下で育種方法、無性繁殖方法と共に、植物及び果実に関する特性を詳細に説明する。
【００１３】
植物の樹勢だけでなく、果実の重量、大きさ、果皮の厚さ、糖度、酸度、果皮の色などのような変種柑橘植物の特性を示す本明細書の説明は、本明細書で説明する‘アラ温州’と命名された変種柑橘植物の特性を不合理に限定する意味で解釈されず、植物又は無性生殖植物自体の特性上、一般的に認定できる範囲内で、本発明で限定している特性が変化できるという点を考慮して解釈しなければならず、これによって本発明の権利範囲が制限されない。
【００１４】
本発明のアラ温州と命名された変種柑橘植物が、その育種方法又は無性繁殖方法などによって栽培される場合、栽培地域、栽培位置、気候、土壌、天気、ハウス栽培であるか否かなどの条件によって、樹勢などの植物自体の特徴だけでなく、果実の重量、大きさ、果皮の厚さ、糖度、酸度、果皮の色の変化時点、収穫時期などにも一部差があり得、植物の樹齢によって果実の特徴にも差があり得る。このような相違点が、周辺環境の変化や樹木の樹齢など、品種自体の特性の差以外の要因によるもので、同一の植物品種で周辺環境などによって生じ得る特性の変化として解釈できれば、本発明の権利範囲を制限する意味として適用されない。
【００１５】
本発明のアラ温州と命名された変種柑橘植物の実施例についての説明は、特に他の説明がない限り、育種が行われた大韓民国の済州島の環境で露地栽培されたものを基準に説明する。
【００１６】
前記目的を達成するために、本発明の一実施例に係るアラ温州と命名された変種柑橘植物は、開花時期が母樹である宮川早生と同一であるが、果実の成熟時期が宮川早生よりも遅いことによって、果皮の着色時期が宮川早生と比較して１〜３ヶ月遅くなるという特徴を有し、これによって、果実の収穫時期を宮川早生と比較して１５日〜７５日遅らせることができる。
【００１７】
前記アラ温州と命名された変種柑橘植物の果実の着色時期は、宮川早生と比較して５０日〜８０日、好ましくは、約２ヶ月遅くなるものであってもよい。前記アラ温州と命名された変種柑橘植物から得られる果皮の着色時期は、大韓民国の済州島で露地栽培する場合を基準として１月下旬〜２月上旬であり得る。
【００１８】
また、前記アラ温州と命名された変種柑橘植物の果実は、母種である宮川早生と開花時期が同一であるという特徴と共に、果皮の着色が進行する前から、果皮の着色が進行して成熟した柑橘状態に進行する過程に果肉の糖酸度に有意な変化がないという特徴も有する。
【００１９】
すなわち、前記アラ温州と命名された変種柑橘植物の果実は、宮川早生の果実成熟時期（又は収穫時期）からアラ温州の果皮の着色の進行が完了する時点までの期間に、果肉の糖酸度が宮川早生の成熟果実の糖酸度と類似の水準に維持されて、糖度が高く、酸度が低いという特性を有する。
【００２０】
前記アラ温州の果実は、宮川早生の収穫時期から、アラ温州の果皮の着色の進行が完了した後、アラ温州の果肉の糖酸度が維持される時点までの長い収穫時期を有し、果実の収穫時期は、大韓民国の済州島で露地栽培した場合を基準にして１１月中下旬から１２月下旬乃至２月中旬であり得る。
【００２１】
このようなアラ温州と命名された変種柑橘植物の収穫時期は、母種である宮川早生の果実の大韓民国の済州島での収穫時期である１１月下旬〜１２月中旬と比較すると、約２ヶ月遅くなったものであり、このように、果皮の着色時期や果実の収穫時期が遅い晩生温州である変種柑橘植物は、糖度が高く、酸味が少ない母樹である宮川早生と類似の果実品質を有すると共に、多量の柑橘が出荷される宮川早生などの柑橘出荷時期を避けて遅く収穫することができるので、新規品種として経済的な価値が非常に優れる。
【００２２】
前記アラ温州と命名された変種柑橘植物から得られる果実は、宮川早生と比較して、浮皮果の発生が少ないという特性も有するので、果実の貯蔵性が向上するという特徴も有する。
【００２３】
また、前記アラ温州と命名された変種柑橘植物から得られる果実は、緑色の果皮を有する未熟果実の時期が長く、果皮が変色する果実の成熟時期が遅いため、成熟時期に発病する病虫害に強いという特性も有し、環境に優しい栽培が可能であるという利点もある。
【００２４】
前記アラ温州と命名された変種柑橘植物の成熟期の果実は、気候、土壌などの周囲環境条件や樹齢などの差によって変動できるが、果重が８０〜１２０ｇ、果径が５５〜６５ｍｍ、果皮の厚さが１．７〜３．０ｍｍ、糖度が９〜１２°Ｂｒｉｘであり、酸度が０．７〜０．９ｗｔ％であってもよい。
【００２５】
前記アラ温州と命名された変種柑橘植物は、宮川早生（Ｃ．ｕｎｓｈｉｕ  Ｍａｒｃ．ｃｖ．Ｍｉｙａｇａｗａ−ｗａｓｅ）の枝（ｂｒａｎｃｈ）の芽（ｂｕｄ）にガンマ線を照射（ｉｒｒａｄｉａｔｉｏｎ）し、ガンマ線が照射された芽を接木して枝を誘導した後、果実の成熟時期が遅くなった突然変異を選抜して枝の芽を採取した後、前記採取した枝の芽を接木する方法を用いて育成された新品種であって、前記育成された変種植物の枝芽を台木に接木する方法で安定的に無性生殖繁殖させることができる。上述した宮川早生の枝芽に行われるガンマ線の照射は、６０Ｃｏのガンマ線を８０グレイ（Ｇｒａｙ）の線量で照射するものであってもよく、接木過程で台木としては柑橘樹を適用することができる。
【００２６】
本発明の他の一実施例に係る柑橘は、上述したアラ温州と命名された変種柑橘植物から収穫されたものである。前記柑橘は、母種である宮川早生と他の特性はほぼ同一であるが、収穫時期によって、果皮が緑色である未熟状態でも成熟果実と類似の水準の糖酸度を有することができ、果皮の変色時期が母種である宮川早生よりも遅いため、果皮が緑色である状態が比較的長期間維持され、収穫時期による果肉の糖酸度の品質変化がわずかであるという特性を有する。
【００２７】
本発明の他の一実施例に係るアラ温州と命名された変種柑橘樹の育種方法は、１）宮川早生（Ｃ．ｕｎｓｈｉｕ  Ｍａｒｃ．ｃｖ．Ｍｉｙａｇａｗａ−ｗａｓｅ）の枝（ｂｒａｎｃｈ）の芽（ｂｕｄ）にガンマ線を照射（ｉｒｒａｄｉａｔｉｏｎ）するステップ；２）前記ステップ１）でガンマ線が照射された芽を接木して枝を誘導した後、果実の成熟時期が遅くなった突然変異を選抜して枝の芽を採取するステップ；３）前記ステップ２）で選抜されて採取された突然変異枝の芽を接木するステップ；を含むことによって、開花時期は宮川早生と同一であるが、果実の成熟時期が宮川早生よりも遅いことによって、果皮の着色時期が、宮川早生と比較して１〜３ヶ月遅い特性を有する晩生温州である、アラ温州と命名された変種柑橘樹を育種する方法を提供する。
【００２８】
前記の宮川早生の枝芽に行われるガンマ線の照射は、６０Ｃｏのガンマ線を８０グレイの線量で照射するものであってもよく、前記接木は、様々な柑橘樹を用いて行うことができ、例えば、前記のステップ１）の接木は成木を、ステップ２）の接木はカラタチを台木として用いることができる。
【００２９】
本発明の更に他の一実施例に係るアラ温州と命名された変種柑橘植物の無性繁殖方法は、アラ温州と命名された変種柑橘樹の枝芽を台木に接木する過程を含むことによって、アラ温州と命名された変種柑橘樹を安定的に無性生殖繁殖させる方法を提供する。このとき、台木としては、様々な柑橘樹を適用することができ、具体的に、成木、カラタチ、又はスウィングルを適用してもよいが、アラ温州と命名された変種柑橘樹を安定的に無性生殖繁殖させることができるものであれば、前記台木として適用可能である。
【発明の効果】
【００３０】
本発明の晩生温州である突然変異柑橘‘アラ温州’は、糖度が高く、酸味が少ない特性と共に、果皮の着色時期が、宮川早生と比較して約１〜３ヶ月遅くなり、宮川早生の着色時期からアラ温州の着色時期まで、宮川早生の果肉とほぼ同一の水準に果肉の糖度及び酸度が維持される特性を有する。アラ温州は、大韓民国の済州島を基準として収穫時期が１１月下旬〜２月上旬であるため、宮川早生の収穫が終わる１２月中旬〜２月上旬にも優れた糖酸度の柑橘の収穫が可能であるので、多量の柑橘が出荷される柑橘出荷時期（大韓民国の場合、１１月下旬から１２月中旬）を避けて柑橘の収穫が可能な新規品種であって、その経済的価値が非常に優れる。
【図面の簡単な説明】
【００３１】
【図１】本発明の実施例１によって育種したアラ温州が、宮川早生に比べて果実の成熟時期が遅いという特性を、果皮の色の差を基準として肉眼で確認した結果の写真である（２０１３年１２月上旬に撮影）。
【図２】本発明の実施例１によって育種したアラ温州の果実及び母種である宮川早生の果実を前記の図１と同じ時点で撮影して、アラ温州の果皮の着色時期が宮川早生よりも遅いことを示す写真である（上側の写真：後ろの果実−アラ温州、前の果実−宮川早生、下側の写真：左側−宮川早生、右側：アラ温州）。
【図３】本発明の実施例１によって育種したアラ温州の果皮の着色の程度、浮皮果現象（果皮が果肉と分離されて浮く現象）が発生したか否かを２０１３年１２月７日（左側上端）、２０１３年１２月２１日（右側上端）、２０１４年１月３日（左側下端）、及び２０１４年１月２３日（右側下端）に観察した結果である。
【発明を実施するための形態】
【００３２】
以下、本発明の属する技術分野における通常の知識を有する者が容易に実施できるように、本発明の実施例について添付の図面を参照して詳細に説明する。しかし、本発明は、様々な異なる形態で実現可能であり、ここで説明する実施例に限定されない。
【００３３】
本発明は、宮川早生（Ｃ．ｕｎｓｈｉｕ  Ｍａｒｃ．ｃｖ．Ｍｉｙａｇａｗａ−ｗａｓｅ）の枝（ｂｒａｎｃｈ）の芽（ｂｕｄ）に６０Ｃｏのガンマ線を８０グレイの線量で照射（ｉｒｒａｄｉａｔｉｏｎ）し、ガンマ線が照射された芽を成木に接木して枝を誘導した後、果実の成熟時期が遅くなった突然変異を選抜して枝の芽を採取した後、カラタチ台木に接木を通じて無性生殖繁殖を通じて育成された変種柑橘植物を提供する。
【００３４】
この変種柑橘植物は、果皮の着色時期など、果実の成熟時期が母種である宮川早生よりも遅いため、果実の収穫時期を宮川早生よりも約１〜３ヶ月まで遅らせることができる新たな晩生温州の種であって、アラ温州と命名された変種柑橘植物である。
【００３５】
アラ温州は、開花時期は宮川早生と同一であり、ｉ）果実の糖酸度が、宮川早生の収穫期から宮川早生の果実と同じ水準以上に維持される特性と共に、ｉｉ）果皮の着色時期が宮川早生の果実よりも約１〜３ヶ月遅くなるため、ｉｉｉ）宮川早生の収穫期から、宮川早生の収穫期の１〜３ヶ月後までの長い収穫時期を有する特性がある。
【００３６】
このようなアラ温州は、大韓民国の済州島で露地栽培した場合を基準として１１月下旬から２月中旬までの長い収穫可能時期を有し、晩生温州と比較して同等以上の品質を有しながらも、晩生温州の収穫時期と同時に又は晩生温州の収穫時期よりも遅い時点である１月下旬〜２月中旬に柑橘果実の収穫が可能であるので、柑橘の出荷時期を調節できるという特性を示す。
【００３７】
前記温州蜜柑の新品種であるアラ温州は、成熟期の糖度が約９〜１１°Ｂｒｉｘと高く、酸度が０．７〜０．９％と低く、果皮の着色が１月下旬〜２月上旬であるという特性があるが、気候、土壌、環境、栽培方法、果実の大きさ及び樹齢によって変わり得る。
【００３８】
また、本発明は、１）宮川早生（Ｃ．ｕｎｓｈｉｕ  Ｍａｒｃ．ｃｖ．Ｍｉｙａｇａｗａ−ｗａｓｅ）の枝（ｂｒａｎｃｈ）の芽（ｂｕｄ）に６０Ｃｏのガンマ線を８０グレイの線量で照射（ｉｒｒａｄｉａｔｉｏｎ）するステップ；２）前記ステップ１）でガンマ線が照射された芽を台木に接木して枝を誘導した後、果実の成熟時期が遅くなった突然変異を選抜して枝の芽を採取するステップ；３）前記ステップ２）で選抜された突然変異枝の芽を台木に接木を通じて無性生殖で繁殖させて、収穫時期が遅いアラ温州と命名された変種柑橘植物を育種する方法を提供する。
【００３９】
このとき、台木は、成木、カラタチ、スウィングルなどの様々な柑橘樹台木が適用されてもよく、本発明で適用する台木は、柑橘樹又は柑橘樹の台木として適用できる樹種であれば適用可能である。また、土壌の特性や地域的な差異点によって適用される台木の大きさや種類に差があり得るが、例えば、大韓民国の済州島ではカラタチを台木として適用することができる。
【００４０】
前記アラ温州は、温州蜜柑と開花時期、果実の大きさ、重量、葉形、花形、栽培環境などがほぼ同一である一方、アラ温州は、着色時期及びこれと関連する糖度と酸度の変化時期が宮川温州と異なる。これによって、１月下旬〜２月中旬にわたって収穫可能であり、糖度が高く、酸味が少ない母樹と同じ遺伝形質が継承され、安定的に大量生産が可能であり、接木を通じて無性繁殖させることができる。
【００４１】
＜実施例１＞放射線を用いた突然変異柑橘育種
【００４２】
済州大学校放射線応用科学研究所のコバルト−６０の放射線照射施設を用いて、２００６年４月に済州特別自治道農業技術院から供与された宮川早生（Ｃ．ｕｎｓｈｉｕ  Ｍａｒｃ．ｃｖ．Ｍｉｙａｇａｗａ−ｗａｓｅ）の枝の芽に８０グレイ（Ｇｒａｙ）の線量のガンマ線を照射した（ｇａｍｍａ  ｉｒｒａｄｉａｔｉｏｎ）。ガンマ線が照射された芽を宮川早生の成木（済州大学校付設研究実習センター東焼洞圃場）に接木して枝を誘導した後、形質を調査して選抜した。
【００４３】
各突然変異枝から着果した果実を毎年１１月下旬〜１２月上旬にわたって収穫した後、低温貯蔵庫（５℃）に貯蔵した。これらの果重及び果径、果皮の厚さ、糖度及び酸度、果色の変化などを測定した。
【００４４】
果重は、電子式指示秤（ＣＡＳ（株）、Ｋｏｒｅａ）を用いて、果重を０．１ｇの単位まで測定した。デジタルキャリパー（Ｄｉｇｉｔａｌ  ｃａｌｉｐｅｒ）（Ｍｉｔｕｔｏｙｏ  Ｃｏｒｐｏｒａｔｉｏｎ、Ｊａｐａｎ）を用いて、縦径と横径を０．１の単位まで測定した。果径と果重を測定した後、果実の汁を採取した。酸糖度分析装置ＮＨ−２０００（ＨＯＲＩＢＡ、Ｊａｐａｎ）を用い、機器使用マニュアルに従って果汁約４〜５ｍＬを注射器で挿入して糖度と酸度を測定した。果色の変化は、色差計（Ｃｈｒｏｍａ  ｍｅｔｅｒ  ＣＲ−４００、ミノルタ）を用いて、果色の変化を示す突然変異果実の色度を測定した。
【００４５】
これから再び突然変異枝の芽を採取してカラタチ台木（苗木業者から購入）に再接木し、成木の柑橘を誘導した。
【００４６】
＜実施例２＞晩生温州である突然変異柑橘の特成分析
【００４７】
前記実施例１で作製した柑橘果実の特性を着果した２０１３年（大韓民国の済州特別自治道西帰浦市東焼洞で露地栽培）に調査した。
【００４８】
図１は、本発明の実施例１によって育種したアラ温州が宮川早生に比べて果実の成熟が遅い特性を確認した写真であり、図２は、本発明の実施例１によって育種したアラ温州の果実及び母種である宮川早生の果実を、前記の図１と同じ時点で撮影した写真である。前記図１及び図２を参照すると、アラ温州の果実は、宮川早生の果実と比較して果皮の着色進行程度が遅く、果実の成熟が遅い特性を有するという点が確認できた。
【００４９】
図３は、本発明の実施例１によって育種したアラ温州の果皮の着色の程度、浮皮果現象（果皮が果肉と分離されて浮く現象）が発生したか否かを２０１３年１２月７日（左側上端）、２０１３年１２月２１日（右側上端）、２０１４年１月３日（左側下端）、及び２０１４年１月２３日（右側下端）に観察した結果である。図３の写真を参照すると、アラ温州の果実は、果実の成熟が１月末にも進行するという点を果皮の色の変化から観察することができ、浮皮果の発生も少ないことが確認できた。このような特性は、柑橘果皮の着色が１１月下旬に進行し、柑橘の品質管理の問題によって一般的に収穫が１２月中旬まで行われる宮川早生とは全く異なる特性であり、果皮の着色時期の観点で、アラ温州が宮川早生と全く異なる特性を有するという点を確認させる結果である。
【００５０】
前記実施例１で育成した突然変異柑橘は、葉形、葉色、開花時期、樹勢、果形、果重などの特性を確認した結果、済州で栽培されている一般形質の宮川早生と他の特性はほぼ同一であるが、果皮の着色と糖酸度を考慮した収穫時期が異なるという点を確認した。
【００５１】
すなわち、下記の表１に示されたように、アラ温州と命名した突然変異柑橘は、それ自体が突然変異誘導の母本である宮川早生と比較して、果実の成熟時期の面で差異点を示し、特に、大韓民国の済州島で露地栽培時に１月下旬〜２月上旬に成熟する特性を示し、果皮の着色時期や糖酸度などを考慮する場合、１１月下旬から２月中旬に至る広い収穫時期を有するという点を確認した。
【００５２】
【表１】
0006374039.tif 000002
【００５３】
また、前記実施例１で育成し、開花時期が５月１０日〜２０日である突然変異柑橘を４年にわたって１２月上旬〜中旬に収穫して形質を調査し（大韓民国の済州特別自治道西帰浦市東焼洞で栽培）、その結果を下記の表２に示す。
【００５４】
下記の表２に示したように、前記実施例１で育成した突然変異柑橘であるアラ温州は、同一の収穫時期を適用する場合、Ｈｕｎｔｅｒ色差計を用いた果皮の色価（ｃｏｌｏｒ  ｖａｌｕｅ）のうちａ値（Ｒｅｄｎｅｓｓ）が−８．９以下で示され、２２．４７以上の値を示した宮川早生と比較して着色時期が遅い特性を示し、調査年度の気候（降水量、日照量など）と果実の大きさによって形質の差が一部存在するが、全般的に果実の成熟時期が安定的に維持されるという点を確認した。
【００５５】
【表２】
0006374039.tif 000003
【００５６】
また、前記実施例１で育成した突然変異柑橘を２０１３年１２月初め、２０１４年１月初め及び２０１４年１月末に収穫し、収穫時期による果実の形質を調査し、その結果を下記の表３に示す。
【００５７】
下記の表３に示したように、アラ温州は、１月中旬又は末頃から着色が進行するという点を確認した。大体１月下旬〜２月上旬にアラ温州の着色が進行した。
【００５８】
また、アラ温州の柑橘は、宮川早生の柑橘の成熟時点である１２月初め〜１月末の時点に宮川早生の柑橘成果と同等又はそれ以上の水準の糖度、及び同等又はそれ以下の水準の酸度を有する特性を有し、その後には、糖度と酸度の面で有意な変化が観察されないことがわかる。これは、果皮が青色を帯びる未熟果実の時から、アラ温州の柑橘の糖酸度が柑橘の収穫が可能な程度に維持され、宮川早生の柑橘の収穫時期からアラ温州の柑橘の収穫が可能であるという点を示す結果である。
【００５９】
【表３】
0006374039.tif 000004
【００６０】
総合すると、実施例１で育成した突然変異柑橘であるアラ温州は、果皮の着色時期が宮川温州に比べて約１〜３ヶ月遅くなることによって、１月下旬〜２月中旬の遅い時点でも柑橘の収穫が可能であり、糖度が高く、酸味が少ない母樹と同一又は類似の遺伝形質が、母樹である宮川早生の収穫時期からアラ温州の着色時期まで維持されることによって、収穫時期の選択が容易であるという特性を有する。また、実施例１で育成した突然変異柑橘であるアラ温州は、安定的に大量生産が可能であり、接木を通じて無性繁殖する突然変異変種柑橘であることを確認した。したがって、前記の特性を全て有する新規な柑橘品種を‘アラ温州’と命名した。
【００６１】
以上で本発明の好ましい実施例について詳細に説明したが、本発明の権利範囲はこれに限定されるものではなく、以下の特許請求の範囲で定義している本発明の基本概念を用いた当業者の様々な変形及び改良形態も本発明の権利範囲に属する。
【産業上の利用可能性】
【００６２】
宮川早生と比較して、ｉ）果実の糖酸度が、宮川早生の収穫期から、宮川早生の果実と同一水準以上に維持されながら、ｉｉ）果皮の着色時期が宮川早生の果実よりも約１〜３ヶ月遅くなることによって、ｉｉｉ）大韓民国の済州島で露地栽培した場合を基準として、１１月下旬から２月中旬までの長い収穫時期を有する新規な晩生温州の品種である、突然変異柑橘‘アラ温州’を提供する。前記アラ温州は、宮川早生と果実の品質はほぼ同一であるが、多量の柑橘が出荷される柑橘出荷時期（大韓民国の場合、１１月下旬から１２月中旬）を避けて収穫時期を調節することができるため、出荷量の調節による柑橘農家の輸入増大に寄与することができる。
【図１】
0006374039.tif 000005
【図２】
0006374039.tif 000006
【図３】
0006374039.tif 000007